(57)【要約】【課題】  異物の浸入を容易に阻止するフィルタ装置と、これを備えた液体燃料燃焼装置を提供する。【解決手段】  ジョイント本体部６ａ内には、開閉弁３１とこの開閉弁３１を下方に付勢する弁バネ３２が配設されている。ジョイント本体部６ａの上部は蓋３３によって閉じられている。ジョイント本体部６ａの先端部分には送油口３０が形成されている。一方、ジョイント受部６ｂには、ジョイント本体部６ａを受け入れる部分の底に案内軸３６が設けられ、その案内軸３６にリング状のフィルタ３５と、フィルタバネ３４が挿通されている。ジョイント受部６ｂには、給油タンクから送られた液体燃料を配管に送り出すための流出口８ａが形成されている。その流出口８ａはジョイント本体部６ａを受け入れる部分の底よりも高い位置に配置されている。【選択図】        図８
2005055145.tif 000002
【特許請求の範囲】
【請求項１】
一方の側から他方の側へ液体燃料を供給するために、一方の側と他方の側との間に装着されるフィルタ装置であって、
一方の側に設けられたジョイント本体部と、
他方の側に設けられ、前記ジョイント本体部を下方から受けるように、前記ジョイント本体部と接続されるジョイント受部と、
前記ジョイント受部における前記ジョイント本体を受け入れる領域の底に配設され、前記ジョイント本体部が前記ジョイント受部に接続された状態で、前記ジョイント本体部と前記ジョイント受部との間に位置するフィルタ本体と、
前記ジョイント本体部を受け入れる領域に連通するように前記ジョイント受部に形成され、一方の側から前記ジョイント本体部を経て送られた液体燃料を他方の側へ送り出すための流出口と
を備えた、フィルタ装置。
【請求項２】
前記流出口は、前記ジョイント本体部を受け入れる領域の底よりも高い位置に設けられた、請求項１記載のフィルタ装置。
【請求項３】
前記ジョイント受部における前記ジョイント本体を受け入れる領域の底と前記フィルタ本体との間に配設され、前記フィルタ本体を前記ジョイント本体部の側に付勢する付勢手段を備えた、請求項１または２に記載のフィルタ装置。
【請求項４】
前記ジョイント本体部が前記ジョイント受部に接続されていない状態では、前記付勢手段によって前記フィルタ本体が上方に付勢されることによって前記流出口は前記フィルタ本体によって閉じられ、
前記ジョイント本体部が前記ジョイント受部に接続されている状態では、前記ジョイント本体部によって前記フィルタ本体が下方に押されて前記流出口は開口される、請求項３記載のフィルタ装置。
【請求項５】
前記ジョイント受部における前記ジョイント本体を受け入れる領域の底に配設され、前記フィルタ本体を下方から支持する台座部を備えた、請求項１または２に記載のフィルタ装置。
【請求項６】
請求項１〜５のいずれかに記載のフィルタ装置を備えた、液体燃料燃焼装置。
【請求項７】
一方の側から他方の側へ液体燃料を供給するために、一方の側と他方の側との間に配設されたジョイント部と、
前記ジョイント部に装着されたフィルタ装置と
を備えた、液体燃料燃焼装置。
【発明の詳細な説明】
【技術分野】
【０００１】
本発明は、フィルタ装置およびこれを備えた液体燃料燃焼装置に関し、特に、異物の流入を防ぐフィルタ装置と、そのようなフィルタ装置を備えた石油ファンヒータや石油ストーブなどの液体燃料燃焼装置に関するものである。
【背景技術】
【０００２】
液体燃料燃焼装置の一つとして、従来から石油ファンヒータが一般に普及している。そのような石油ファンヒータの一例として、特許文献１に開示された石油ファンヒータについて説明する。図１０に示すように、石油ファンヒータにおいては、液体燃料１０４ｂを貯留する給油タンク１０４、給油タンク１０４に貯留された液体燃料１０４ｂを送るための電磁ポンプ１１０、給油タンク１０４から送られた液体燃料１０４ｂを気化するための気化器１１４および気化された液体燃料１０４ｂを空気と混合して燃焼するためのバーナー１１６が設けられている。
【０００３】
給油タンク１０４と電磁ポンプ１１０との間は配管１０８によって接続されている。また、電磁ポンプ１１０と気化器１１４との間は配管１１２によって接続されている。さらに、気化器１１４と給油タンク１０４との間には、余った液体燃料を給油タンクに戻すための配管１１８が接続されている。
【０００４】
この種の石油ファンヒータの給油タンク１０４では、液体燃料を補給する際に給油タンク１０４を上下にひっくり返す必要がないように、給油口１０４ａは給油タンク１０４の上側に設けられている。
【０００５】
給油の際に給油タンク１０４と配管１０８，１１８とを切り離すために、配管１０８，１１８と給油タンク１０４との間にはジョイント１０６が設けられている。ジョイント１０６は、給油タンク１０４の側に固定されているジョイント本体部１０６ａ，１０６ｃと、配管１０８，１１８に固定されているジョイント受部１０６ｂとによって構成される。
【０００６】
なお、給油タンク１０４内には、貯留された液体燃料１０４ｂをジョイント本体部１０６ａまで導くためのタンク内配管１０５が配設されている。また、液体燃料１０４ｂが送り出されることにより給油タンク１０４内が負圧になるのを防止するために、所定の空気穴（図示せず）が設けられている。
【０００７】
次に、上述した石油ファンヒータの動作について説明する。石油ファンヒータの運転が開始されると、液体燃料１０４ｂは電磁ポンプ１１０によって給油タンク１０４内から取出され、ジョイント１０６、配管１０８、電磁ポンプ１１０および配管１１２を経て気化器１１４に送られる。
【０００８】
気化器１１４において、液体燃料１０４ｂはヒータによって加熱され、気化する。気化した液体燃料はバーナー１１６へ送られて、燃焼する。燃焼によって発生する熱は暖房に使用される。一方、石油ファンヒータの運転を停止すると、気化器１１４内が高温高圧なので気化器１１４内に残った液体燃料１０４ｂは、気化器１１４の圧力に押されて配管１１８を通りジョイント１０６を経て給油タンク１０４に戻されることになる。
【０００９】
このようにして燃焼が行われて給油タンク１０４内の液体燃料１０４ｂがなくなった場合には、図１１に示すように、ジョイント本体１０６ａをジョイント受部１０６ｂから取り外すことによって、給油タンク１０４が取出されて、給油タンク１０４をひっくり返すことなく給油タンク１０４の給油口１０４ａから液体燃料が補給されることになる。
【特許文献１】特開２００２−３７２２２８号公報
【発明の開示】
【発明が解決しようとする課題】
【００１０】
しかしながら、上述した従来の石油ファンヒータでは、次のような問題点があった。図１０に示すように、従来の石油ファンヒータでは、給油する際に異物が給油タンク１０４内に入るのを阻止するために、給油タンク１０４の給油口１０４ａに筒状でメッシュのフィルタ１０４ｃが設けられている。
【００１１】
ところが、このフィルタ１０４ｃでは、比較的大きい異物の侵入を阻止することはできても比較的小さい異物や、空気中に浮遊する繊維状の異物の侵入を阻止することができなかった。
【００１２】
また、電磁ポンプ１１０そのものの動作不良をなくすために、電磁ポンプ１１０内の配管にもフィルタが配設されている。ところが、フィルタが配設される配管は比較的細い配管で断面積が小さいため、給油タンク１０４内に浸入した異物がこのフィルタの部分で円筒状に堆積することになって、液体燃料１０４ｂの円滑な流れを妨げていた。
【００１３】
本発明は上記問題点を解決するためになされたものであり、一つの目的は異物の浸入を容易に阻止するフィルタ装置を提供することであり、他の目的はそのようなフィルタ装置を備えた液体燃料燃焼装置を提供することである。
【課題を解決するための手段】
【００１４】
本発明に係るフィルタ装置は、一方の側から他方の側へ液体燃料を供給するために、一方の側と他方の側との間に装着されるフィルタ装置であって、ジョイント本体部とジョイント受部とフィルタ本体と流出口とを備えている。ジョイント本体部は一方の側に設けられている。ジョイント受部は、他方の側に設けられ、ジョイント本体部を下方から受けるようにジョイント本体部と接続される。フィルタ本体は、ジョイント受部におけるジョイント本体を受け入れる領域の底に配設され、ジョイント本体部がジョイント受部に接続された状態で、ジョイント本体部とジョイント受部との間に位置している。流出口は、ジョイント本体を受け入れる領域に連通するようにジョイント受部に形成され、一方の側からジョイント本体部を経て送られた液体燃料を他方の側へ送り出す。
【００１５】
ジョイント受部に形成された流出口は、ジョイント本体部を受け入れる領域の底よりも高い位置に設けられていることが好ましい。
【００１６】
また、ジョイント受部におけるジョイント本体を受け入れる領域の底とフィルタ本体との間に配設され、フィルタ本体をジョイント本体部の側に付勢する付勢手段を備えていることが好ましい。
【００１７】
さらに、ジョイント本体部がジョイント受部に接続されていない状態では、付勢手段によってフィルタ本体が上方に付勢されることによって流出口はフィルタ本体によって閉じられ、ジョイント本体部がジョイント受部に接続されている状態では、ジョイント本体部によってフィルタ本体が下方に押されて流出口は開口されることがより好ましい。
【００１８】
あるいは、ジョイント受部におけるジョイント本体を受け入れる領域の底に配設され、フィルタ本体を下方から支持する台座部を備えていることが好ましい。
【００１９】
本発明に係る液体燃料燃焼装置は、請求項１〜５のいずれかに記載のフィルタ装置を備えている。
【００２０】
本発明に係る他の液体燃料燃焼装置は、一方の側から他方の側へ液体燃料を供給するために、一方の側と他方の側との間に配設されたジョイント部と、そのジョイント部に装着されたフィルタ装置とを備えている。
【発明の効果】
【００２１】
本発明に係るフィルタ装置によれば、一方の側に綿ごみ等の異物が混入した場合には、その異物は液体燃料の流れに乗ってジョイント本体部へ運ばれて、ジョイント本体部とジョイント受部との間に位置するフィルタ部に捕らえられることになる。これにより、異物がジョイント受部の流出口へ流れ込むのを阻止することができる。また、異物を捕らえたフィルタ本体は、給油作業と並行して容易にこれを新しいフィルタ本体と交換することができる。
【００２２】
また、ジョイント受部に形成された流出口は、ジョイント本体部を受け入れる領域の底よりも高い位置に設けられていることが好ましく、これにより、液体燃料とともにジョイント本体部へ流れてきた異物のうち、フィルタ本体を通り抜けた比較的小さい異物等をその底の部分に溜めておくことができる。
【００２３】
さらに、ジョイント受部におけるジョイント本体を受け入れる領域の底とフィルタ本体との間に配設され、フィルタ本体をジョイント本体部の側に付勢する付勢手段を備えていることが好ましく、これにより、フィルタ本体がジョイント本体部に押し付けられて、異物をフィルタ本体に確実に捕らえることができる。
【００２４】
さらに、ジョイント本体部がジョイント受部に接続されていない状態では、付勢手段によってフィルタ本体が上方に付勢されることによって流出口はフィルタ本体によって閉じられ、ジョイント本体部がジョイント受部に接続されている状態では、ジョイント本体部によってフィルタ本体が下方に押されて流出口は開口されることがより好ましく、これにより、ジョイント本体部がジョイント受部に接続されていない状態においては、ジョイント受部ではフィルタ本体が付勢手段の付勢力によって上方に押し上げられて、流出口がフィルタ本体によって塞がれることになる。その結果、給油タンク部が長時間取り外された状態に放置されて、空気中に浮遊している綿ごみ等の異物がジョイント受部に落下して付着したとしても、流出口に流れ込むのを阻止することができる。一方、ジョイント本体部がジョイント受部に接続されている状態では、フィルタ本体は付勢手段の付勢力に抗して押し下げられて流出口が開口し、液体燃料を確実に送り出すことができる。
【００２５】
あるいは、ジョイント受部におけるジョイント本体を受け入れる領域の底に配設され、フィルタ本体を下方から支持する台座部を備えていることが好ましく、この場合には、付勢手段を装着することなく異物をフィルタ本体によって捕らえることができ、生産コストの削減を図ることができる。また、異物を捕らえたフィルタ本体の交換作業も給油作業と並行して容易に行うことができる。
【００２６】
本発明に係る液体燃料燃焼装置は、上述したフィルタ装置を備えていることによって、給タンク部にたとえ綿ごみ等の異物が混入したとしても、その異物をフィルタ装置によって確実に捕らえることができて、液体燃料燃焼装置の本体部分へ流れ込むのを阻止することができる。
【００２７】
また、本発明に係る他の液体燃料燃焼装置は、一方の側から他方の側へ液体燃料を供給するために、一方の側と他方の側との間に配設されたジョイント部に装着されたフィルタ装置を備えていることによって、一方の側から送られる液体燃料に異物が混入したとしても、その異物をジョイント部のフィルタ装置によって確実に捕らえることができて、混入した異物が他方の側へ送り込まれるのを阻止することができる。
【発明を実施するための最良の形態】
【００２８】
本発明に係るフィルタ装置とこれを備えた液体燃料燃焼装置として、石油ファンヒータを例に挙げて具体的に説明する。
【００２９】
図１に示すように、石油ファンヒータ１は、液体燃料を貯留する給油タンク４と、給油タンク４から送られる液体燃料を気化して燃焼させる石油ファンヒータ本体２とによって構成される。この種の石油ファンヒータ１では、給油タンク４を石油ファンヒータ本体２から取り外した状態から給油タンク４を上下にひっくり返すことなく、給油タンク４の上側に設けた給油口４ａ（図２参照）から液体燃料が補給される。
【００３０】
その石油ファンヒータ１についてさらに詳細に説明する。図２に示すように、石油ファンヒータにおいては、液体燃料４ｂを貯留する給油タンク４、給油タンク４に貯留された液体燃料４ｂを送るための電磁ポンプ１０、給油タンク４から送られた液体燃料４ｂを気化するための気化器１４および気化された液体燃料４ｂを空気と混合して燃焼するためのバーナー１６が設けられている。
【００３１】
給油タンク４と電磁ポンプ１０との間は配管８によって接続されている。また、電磁ポンプ１０と気化器１４との間は配管１２によって接続されている。さらに、気化器１４と給油タンク４との間には、余った液体燃料を給油タンクに戻すための配管１８が接続されている。
【００３２】
給油タンク４には、液体燃料を補給するための給油口４ａが給油タンク４の上側に設けられている。また、給油タンク４内には、貯留された液体燃料４ｂをジョイント本体部６ａまで導くためのタンク内配管５が配設されている。さらに、給油タンク４には、液体燃料４ｂが送り出されることによって給油タンク４内が負圧になるのを防止するために、所定の空気穴（図示せず）が設けられている。
【００３３】
液体燃料の補給の際に給油タンク４と配管８，１８とを切り離すために、配管８，１８と給油タンク４との間にはジョイント６が設けられている。ジョイント６は、給油タンク４の側に固定されているジョイント本体部６ａ，６ｃと、配管８，１８に固定されているジョイント受部６ｂとによって構成される。
【００３４】
図３に示すように、ジョイント本体部６ａ内には、開閉弁３１とこの開閉弁３１を下方に付勢する弁バネ３２が配設されている。ジョイント本体部６ａの上部は蓋３３によって閉じられている。ジョイント本体部６ａの先端部分には、送油口３０が形成されている。
【００３５】
一方、図４に示すように、ジョイント受部６ｂには、ジョイント本体部６ａを受け入れる部分（領域）の底に案内軸３６が設けられ、その案内軸３６にリング状のフィルタ３５と、このフィルタ３５を上方に付勢するフィルタバネ３４が挿通されている。そして、ジョイント受部６ｂには、給油タンク４から送られた液体燃料を配管８に送り出すための流出口８ａが形成されている。その流出口８ａはジョイント本体部６ａを受け入れる部分（領域）の底よりも高い位置に配置されている（図６等参照）。
【００３６】
なお、フィルタ３５としては、海綿状、かつ、多孔質で耐油性の性質を有するものが好ましく、また、ある程度の弾力性を有しているものが好ましい。
【００３７】
次に、石油ファンヒータの動作として、給油タンク４を石油ファンヒータ本体２から取り外した場合について説明する。図１および図５に示すように、給油タンク４に液体燃料を補給する際に、給油タンク４は石油ファンヒータ本体２から取り外されることになる。
【００３８】
このとき、図６に示すように、ジョイント受部６ｂでは、フィルタ３５はフィルタバネ３４の付勢力によって上方に押し上げられる。フィルタ３５が上方に押し上げられることによって、給油タンク４から送られた液体燃料を配管８に送り出すための流出口８ａがフィルタ３５によって塞がれることになる。
【００３９】
これにより、給油タンク４が石油ファンヒータ本体２から長時間取り外された状態に放置されて、空気中に浮遊している綿ごみ等の異物がジョイント受部６ｂに落下して付着したとしても、流出口８ａから配管８に流れ込むことが阻止される。
【００４０】
次に、給油タンク４を石油ファンヒータ本体２に装着した場合について説明する。この場合には、図７に示すように、まず、ジョイント本体部６ａの先端部の送油口３０がフィルタ３５に接触する。
【００４１】
そして、図８に示すように、ジョイント本体部６ａがさらに下方に挿入されることで、フィルタ３５はフィルタバネ３４の付勢力に抗して押し下げられて、流出口８ａが開口することになる。
【００４２】
このようにして、ジョイント本体部６ａがジョイント受部６ｂに接続された状態では、ジョイント本体部６ａの送油口３０の開口端はフィルタ３５を圧接した状態になる。
【００４３】
この状態で、石油ファンヒータの運転が開始されると、液体燃料４ｂは電磁ポンプ１０によって給油タンク４内から取出される。液体燃料４ｂはジョイント本体部６ａの開閉弁３１の側面開口部を通って送油口３０からフィルタ３５を経て流出口８ａへ到達する。
【００４４】
この場合、ジョイント本体部６ａの送油口３０の部分では、案内軸３６と送油口３０の壁面との間に液体燃料４ｂが通過するのに十分な断面積のリング状の隙間が形成されている。
【００４５】
また、流出口８ａがジョイント受部６ｂにおいてジョイント本体部６ａを受け入れる領域の底よりも高い位置に配置されていることによって、この底の部分に、フィルタ３５を通り抜けた比較的小さい異物を溜めておくことができる。さらに、給油タンク４に液体燃料よりも比重の大きい水等が混入した場合には、そのような水等をその底の部分に溜めておくこともできる。
【００４６】
このようにしてジョイント６を通過した液体燃料４ｂは、配管８、電磁ポンプ１０および配管１２を経て気化器１４に送られる。気化器１４において、液体燃料４ｂはヒータによって加熱され、気化する。気化した液体燃料はバーナー１６へ送られて、燃焼する。燃焼によって発生する熱は暖房に使用される。
【００４７】
一方、石油ファンヒータの運転を停止すると、気化器１４内が高温高圧なので気化器１４内に残った液体燃料４ｂは、気化器１４の圧力に押されて配管１８を通りジョイント６を経て給油タンク４に戻されることになる。
【００４８】
このようにして燃焼が行われて給油タンク４内の液体燃料４ｂがなくなった場合には、上述したように、ジョイント本体６ａをジョイント受け６ｂから取り外すことによって、給油タンク４が取出されて、給油タンク４をひっくり返すことなく給油タンク４の給油口４ａから液体燃料が補給されることになる。
【００４９】
上述した石油ファンヒータでは、給油タンク４に綿ごみ等の異物が混入した場合には、その異物は電磁ポンプ１０の吸引によって液体燃料４ｂの流れに乗ってジョイント本体部６ａへ運ばれて、開閉弁３１の先端部分に到達する。異物が開閉弁３１の先端部分に到達すると、異物はフィルタ３５に捕らえられて、異物がジョイント６を抜けて配管８へ流れ込むのを阻止することができる。
【００５０】
異物がフィルタ３５に捕らえられた状態で、給油タンク４に液体燃料を補給するためにジョイント本体部６ａをジョイント受部６ｂから取り外すと、案内軸３６と送油口３０との間に捕らえられた綿ごみ等の異物は、開閉弁３１の動きに伴って下方に押し出されて、フィルタ３５の表面に絡み付くことになる。
【００５１】
このような給油のための動作が繰り返されても、異物はフィルタ３５の表面に層状に堆積されるため、少々の綿ごみ等の異物では、液体燃料の流れに影響を与えることはない。しかしながら、このような綿ごみがフィルタ３５に大量に堆積すると、液体燃料の流れが妨げられることになる。その場合には、新しいフィルタ３５を交換することによって、液体燃料の流れをもとの良好な状態に戻すことができる。
【００５２】
そのフィルタ３５の交換作業においては、特殊な操作を必要とせずに、通常の給油作業と並行して容易に行うことができる。
【００５３】
また、綿ごみ等の異物が電磁ポンプ１０へ流れ込むことがなくなるために、従来の石油ファンヒータのように電磁ポンプ１０に設けられたフィルタに異物が堆積するのが抑制されて、電磁ポンプ１０の故障が大幅に減少する。その結果、電磁ポンプ１０の交換頻度を大幅に減らすことができる。
【００５４】
なお、上述した実施例では、フィルタ装置のジョイント受部として、ジョイント本体部６ａを受け入れる部分（領域）の底に案内軸３６が設けられ、その案内軸３６にフィルタ３５を上方に付勢するフィルタバネ３４が挿通されたジョイント受部６ｃを例に挙げて説明した。
【００５５】
この他に、図９に示すように、フィルタ３５が沈まないようにジョイント本体部６ａを受け入れる部分（領域）の底に台座３７を設けるとともに、その台座３７の上に案内軸３６を設けて、その案内軸３６にリング状のフィルタ３５を挿通させたジョイント受部６ｂを適用してもよい。
【００５６】
この場合には、フィルタバネを装着することなく異物をフィルタ３５によって捕らえることができ、生産コストの削減を図ることができる。また、異物を捕らえたフィルタ３５の交換作業も給油作業と並行して容易に行うことができる。
【産業上の利用可能性】
【００５７】
本発明は、液体燃料にたとえ異物が混入したとしても、その混入した異物が液体燃料とともに液体燃料燃焼装置に送られるのを阻止するフィルタ装置とこれを備えた液体燃料燃焼装置に有効に利用される。
【図面の簡単な説明】
【００５８】
【図１】本発明の実施例に係るフィルタ装置と、これを備えた液体燃料燃焼装置の斜視図である。
【図２】同実施例において、図１に示すフィルタ装置を備えた液体燃料燃焼装置における液体燃料の流れを示す系統図である。
【図３】同実施例において、フィルタ装置におけるジョイント本体部を示す分解斜視図である。
【図４】同実施例において、フィルタ装置におけるジョイント受部を示す分解斜視図である。
【図５】同実施例において、フィルタ装置を備えた液体燃料燃焼装置の動作を説明するための、フィルタ装置が液体燃料燃焼装置に接続されていない状態を示す系統図である。
【図６】同実施例において、図５に示される状態におけるジョイント受部を示す部分拡大断面図である。
【図７】同実施例において、フィルタ装置のジョイント本体部をジョイント受部に接続する第１の状態を示す部分断面図である。
【図８】同実施例において、フィルタ装置のジョイント本体部をジョイント受部に接続する第２の状態を示す部分断面図である。
【図９】同実施例において、変形例に係るフィルタ装置におけるジョイント本体部およびジョイント受部の部分断面図である。
【図１０】従来のフィルタ装置を備えた液体燃料燃焼装置における液体燃料の流れを示す系統図である。
【図１１】従来のフィルタ装置におけるジョイント本体部およびジョイント受部の部分断面図である。
【符号の説明】
【００５９】
１  石油ファンヒータ、２  石油ファンヒータ本体、４  給油タンク、４ａ  給油口、４ｂ  液体燃料、５  タンク内配管、６  ジョイント、６ａ，６ｃ  ジョイント本体部、６ｂ  ジョイント受部、８，１２，１８  配管、８ａ  流出口、１０  電磁ポンプ、１４  気化器、１６  バーナー、３０  送油口、３１  開閉弁、３２  弁バネ、３３  蓋、３４  フィルタバネ、３５  フィルタ、３６  案内軸、３７  台座。
【図１】
2005055145.tif 000003
【図２】
2005055145.tif 000004
【図３】
2005055145.tif 000005
【図４】
2005055145.tif 000006
【図５】
2005055145.tif 000007
【図６】
2005055145.tif 000008
【図７】
2005055145.tif 000009
【図８】
2005055145.tif 000010
【図９】
2005055145.tif 000011
【図１０】
2005055145.tif 000012
【図１１】
2005055145.tif 000013